(57)【要約】【課題】椅子を利用者が座部に落とした物品が、座部と背もたれ部に形成される隙間に入り込むことを防止して、その紛失を防止することのできる椅子用物品落下防止具を提供する。【解決手段】利用者が着座する座部２と、この座部の後部から上方へ向けて設けられ利用者の背中を支持する背もたれ部３とを備えた椅子１に装着されて、前記座部と前記背もたれ部との隙間から物品が落下を防止するための椅子用物品落下防止具５であって、前記座部上に敷設されるシート状の本体７と、この本体の裏面と前記座部および背もたれ部とを接離可能に止着する面ファスナー８・９とによって構成されている。【選択図】図１
2019154733.tif 000002
【特許請求の範囲】
【請求項１】
利用者が着座する座部と、この座部の後部から上方へ向けて設けられ利用者の背中を支持する背もたれ部とを備えた椅子に装着されて、前記座部と前記背もたれ部との隙間から物品が落下を防止するための椅子用物品落下防止具であって、前記座部上に敷設されるシート状の本体と、この本体の裏面と前記座部および背もたれ部とを接離可能に止着するファスナーとによって構成されていることを特徴とする椅子用物品落下防止具。
【請求項２】
前記座部の両側部に、上方へ向かって肘掛け部が設けられ、これらの肘掛け部と前記本体との間に、これらを接離可能に止着するファスナーが設けられていることを特徴とする請求項１に記載の椅子用物品落下防止具。
【請求項３】
前記椅子が、前記座部を覆う座面クッションを備え、この座面クッションが前記座面に敷設された前記本体の表面を覆って載置されるとともに、前記座面クッションと前記本体との間に、これらを接離可能に止着するファスナーが設けられていることを特徴とする請求項１または請求項２に記載の椅子用物品落下防止具。
【請求項４】
前記ファスナーが面ファスナーであることを特徴とする請求項１ないし請求項３の何れかに記載の椅子用物品落下防止具。
【請求項５】
前記椅子がマッサージ用の椅子であることを特徴とする請求項１ないし請求項４の何れかに記載の椅子用物品落下防止具。
【発明の詳細な説明】
【技術分野】
【０００１】
本発明は、利用者が着座する座部と、この座部の後部から上方へ向けて設けられ利用者の背中を支持する背もたれ部とを備えた椅子に装着されて、前記座部と前記背もたれ部との隙間から物品が落下を防止するための椅子用物品落下防止具に関するものである。
【背景技術】
【０００２】
一般に、利用者が着座する座部と、この座部の後部から上方へ向けて設けられ利用者の背中を支持する背もたれ部とを備えた椅子にあっては、前記座部と前記背もたれ部との間に隙間がある。
【先行技術文献】
【特許文献】
【０００３】
【特許文献１】なし
【発明の概要】
【発明が解決しようとする課題】
【０００４】
ところで、前述したように、前記座部と背もたれとの間に隙間があると、利用者が座部に物品を落とした場合、その物品が前記隙間に入り込んで紛失してしまうことがある。
【０００５】
本発明は、このような不具合を解消するために、利用者が座部に落とした物品が、座部と背もたれ部に形成される隙間に入り込むことを防止して、その紛失を防止することのできる椅子用物品落下防止具を提供することを解決しようと課題とする。
【課題を解決するための手段】
【０００６】
本発明の椅子用物品落下防止具は、利用者が着座する座部と、この座部の後部から上方へ向けて設けられ利用者の背中を支持する背もたれ部とを備えた椅子に装着されて、前記座部と前記背もたれ部との隙間から物品が落下を防止するための椅子用物品落下防止具であって、前記座部上に敷設されるシート状の本体と、この本体の裏面と前記座部および背もたれ部とを接離可能に止着するファスナーとによって構成されていることを特徴としている。
【０００７】
このような構成とすることにより、前記シート状の本体は、前記ファスナーにより前記座部から前記背もたれ部に掛けて止着される。
これによって、前記座部と前記背もたれ部との間に形成される隙間が、前記本体により覆われる。
【０００８】
ここで、着座している利用者が、椅子の座部に物品を落とした場合、この物品が前記本体によって捕捉され、前記座部と前記背もたれ部との間に形成される隙間に入り込むことが阻止される。
【０００９】
したがって、利用者は、前記座部上の物品を容易に確認することができるとともに、拾い上げることができる。
【００１０】
前記座部の両側部に、上方へ向かって肘掛け部が設けられている場合、これらの肘掛け部と前記本体との間に、これらを接離可能に止着するファスナーを設けることにより、前記座部に落とされた物品が、前記座部の側方から落下して紛失してしまうことを防止することができる。
【００１１】
前記椅子が、前記座部を覆う座面クッションを備えている場合、この座面クッションを、敷設された前記本体の表面を覆って載置するとともに、前記座面クッションと前記本体との間に、これらを接離可能に止着するファスナーを設けておくことができる。
【００１２】
このような構成とすることにより、前記座面クッションを前記本体を介して前記座部に係止して、その位置ずれや落下を防止することができる。
【００１３】
前記ファスナーは面ファスナーであることが好ましい。
【００１４】
前記椅子用物品落下防止具をマッサージ用の椅子に適用することができる。
マッサージ用椅子は、クッション性の高い材質を用いることが多く、そのために、前記座部と前記背もたれ部との隙間が、前記クッション性の高さから密着しやすい。
そのために、前記隙間に物品が入り込むと探しづらくかつ取り出しづらいため、前述した椅子養分ピン落下防止具の機能を有効に利用することができる。
【発明の効果】
【００１５】
本発明によれば、椅子の座部に落ちた物品を捕捉して、その発見と拾い上げを確実に行なうことができる。
【図面の簡単な説明】
【００１６】
【図１】本発明の一実施形態が適用されたマッサージ用椅子の外観図である。
【図２】本発明の一実施形態が適用されたマッサージ用椅子の外観図である。
【図３】本発明の一実施形態を示す平面図である。
【図４】本発明の一実施形態を示す裏面図である。
【図５】本発明の一実施形態が適用されたマッサージ用椅子の要部の拡大外観図である。
【発明を実施するための形態】
【００１７】
以下、本発明の一実施形態を、図面を参照して説明する。
これらの図において符号１は、本実施形態の椅子養分ピン落下防止具が適用されたマッサージ用椅子を示す。
【００１８】
このマッサージ用椅子１は、利用者が着座する座部２と、利用者の背中を支持する背もたれ部３と、前記座部２の両側部上に設置された肘掛け部４とを備えており、前記座部２、前記背もたれ部３、および、前記両肘掛け部４間に、本実施形態に係わる椅子用物品落下防止具（以下、落下防止具と略称する）５が装着されている。
【００１９】
そして、前記椅子用物品落下防止具５上には、座り心地を向上させるための座面クッション６が装着されている。
【００２０】
本実施形態の落下防止具５は、シート状の本体７を備え、前記座部２に対峙させられる平面部７ａと、この平面部７ａの周縁部で、前記背もたれ部３および前記肘掛け部４に対峙させられる立ち上げ部７ｂとが形成されて、前記マッサージ用椅子１の前方と上方とが開放された袋状となされている。
【００２１】
そして、前記本体７の前記平面部７ａと前記座部２との対峙面には、前記本体７を前記座部２に接離可能に止着する面ファスナー８が取り付けられ、また、前記本体７の前記立ち上げ部７ｂと前記背もたれ部３との対峙面、さらに、前記本体７の前記立ち上げ部７ｂと前記肘掛け部４との対峙面に、これらの対峙面を接離可能に止着する面ファスナー９が取り付けられている。
【００２２】
さらに、本実施形態においては、前記平面部７ａと、この平面部７ａ上に載置される前記座面クッション６の下面との間に、これらを接離可能に止着する面ファスナー１０が取り付けられている。
【００２３】
このように構成された本実施形態の落下防止具５は、前記本体７の平面部７ａを前記面ファスナー８によって前記座部２上に止着し、また、前記立ち上げ部７ｂの後部を、前記面ファスナー９によって前記背もたれ部３の下部に止着し、さらに、前記立ち上げ部７ｂの両側部を、前記面ファスナー９によって、前記各肘掛け部４の内面に止着する。
【００２４】
以上の作業によって、前記落下防止具５を前記マッサージ用椅子１の前記座部２上に、前方および上方を開放した状態で装着される。
【００２５】
このように装着された前記落下防止具５は、前記座部２の後部と前記背もたれ部３の下部との間に形成される隙間と、前記座部２と前記両肘掛け部４との間に形成される隙間を覆うように設置される。
【００２６】
そして、利用者が前記座部２上に物品を落とした場合、この物品は、前記落下防止具５に捕捉されて、前記座部２と前記背もたれ部３および前記両肘掛け部４との間に形成されている隙間に入り込むことが阻止される。
【００２７】
したがって、利用者は、前記座部２に落とした物品を容易に見つけることができるとともに拾い上げることができ、その紛失を防止することができる。
【００２８】
一方、本実施形態においては、前記落下防止具５を覆って前記座面クッション６を装着するようにしている。
【００２９】
このように前記座面クッション６を装着した場合、利用者の落とした物品が前記座面クッション６の側縁部から前記座部２へ入り込んでしまうことが想定される。
【００３０】
しかしながら、本実施形態においては、前記座面クッション６の側縁部から入り込んだ物品が下方の前記落下防止具５によって捕捉され、前記座面クッション６を前記落下防止具５から取り外して、この落下防止具５の上方を開放することによって、前記物品の確認および拾い上げを容易に行なうことができる。
【００３１】
なお、前記実施形態において示した各構成部材の諸形状や寸法等は一例であって、適用する椅子の種類等、あるいは、設計要求等に基づき種々変更可能である。
【００３２】
また、前述したマッサージ用椅子に限らず、座部と背もたれ部とが独立して設けられている構造の椅子であれば適用可能である。
【符号の説明】
【００３３】
１  マッサージ用椅子
２  座部
３  背もたれ部
４  肘掛け部
５  （椅子用物品）落下防止具
６  座面クッション
７  本体
７ａ  平面部
７ｂ  立ち上げ部
８  面ファスナー
９  面ファスナー
１０  面ファスナー
【図１】
2019154733.tif 000003
【図２】
2019154733.tif 000004
【図３】
2019154733.tif 000005
【図４】
2019154733.tif 000006
【図５】
2019154733.tif 000007